(57)【要約】  【課題】  上部ユニットの落下を防止し、かつ、部品点数が少なく低コストで組立て性の優れた画像読み取り装置を提供すること。  【解決手段】  上部ユニット２が回動支持軸３Ｒを介して下部ユニット１に開閉動作可能に支持され、上部ユニット２の開閉動作によって下部ユニット１の所定の部位が開放および閉塞される画像読み取り装置において、上部ユニット２と下部ユニット１の間に、上部ユニット２の開放により鉛直姿勢となり、上部ユニット２の開放角度が所定角度以下となるとき、上部ユニット２の閉じ側への回動を抑止する落下抑止部材３７を設けている。【選択図】  図４
2006245911.tif 000002
【特許請求の範囲】
【請求項１】
上部ユニットが回動支持軸を介して下部ユニットに開閉動作可能に支持され、該上部ユニットの開閉動作によって下部ユニットの所定の部位が開放および閉塞される画像読み取り装置において、
前記上部ユニットと前記下部ユニットの間に、前記上部ユニットの開放により鉛直姿勢となり、前記上部ユニットの開放角度が所定角度以下となるとき、前記上部ユニットの閉じ側への回動を抑止する落下抑止部材を設けたことを特徴とする画像読み取り装置。
【請求項２】
前記落下抑止部材が、一端部で前記上部ユニットに揺動可能に支持されるとともに、前記上部ユニットの開放動作時に自重によって他端部を鉛直方向側に揺動させることを特徴とする請求項１に記載の画像読み取り装置。
【請求項３】
前記落下抑止部材が、前記回動支持軸の軸線方向に離間する複数箇所に配置されたことを特徴とする請求項１に記載の画像読み取り装置。
【請求項４】
前記落下抑止部材が、前記上部ユニットのうち前記回動支持軸から所定距離以上離隔した操作端側に配置されたことを特徴とする請求項１に記載の画像読み取り装置。
【請求項５】
前記落下抑止部材が、前記回動支持軸の軸線方向における前記上部ユニットの両端側に配置されたことを特徴とする請求項４に記載の画像読み取り装置。
【請求項６】
前記下部ユニットに、前記上部ユニットの開閉時に前記下部ユニット側に係合するとともに他端部の揺動方向への滑りを抑制する滑り止め部材を設けたことを特徴とする請求項１又は２に記載の画像読み取り装置。
【請求項７】
前記下部ユニットの所定高さ位置に揺動可能に支持された一端部および前記上部ユニットに揺動可能かつ所定範囲内のみ摺動可能に連結された他端部を有する揺動部材を有し、前記上部ユニットの開放角度が所定角度以上となるとき前記上部ユニットを開放側に付勢する方向に付勢力を作用させる一方、前記上部ユニットにより前記下部ユニットの所定の部位が閉塞されるときには前記上部ユニットを閉じ側に付勢する方向に付勢力を作用させるよう、前記揺動部材の他端部を前記所定高さ位置より上方側および下方側に揺動させる反転付勢機構を設けたことを特徴とする請求項１又は２に記載の画像読み取り装置。
【請求項８】
前記反転付勢機構の揺動部材によって前記上部ユニットの開放側への回動が前記所定の開放角度位置で規制され、
該所定の開放角度位置までの前記上部ユニットの開放側への回動により、前記落下抑止部材が自重で鉛直姿勢となるようにしたことを特徴とする請求項７に記載の画像読み取り装置。
【発明の詳細な説明】
【技術分野】
【０００１】
本発明は、開閉式の上部ユニットを備えた画像読み取り装置に関する。
【背景技術】
【０００２】
開閉式の上部ユニットを備えた画像読み取り装置は、スキャナ機能を備えた各種の画像形成装置の原稿読み取り部を構成するもの、あるいはスキャナ（画像読み取り装置）単体となっているものが、周知であり、通常、その上部ユニットがヒンジ機構を介して下部ユニット（装置本体側）に対して開閉動作可能に支持されている。
【０００３】
従来のこの種の画像読み取り装置としては、例えば、上部ユニットを下部ユニットに対して開くときにクラッチばねと固定軸との隙間を広げるようにして、その開動作は抵抗が少なく軽く行うことができ、逆に、閉時にはクラッチばねと固定軸との隙間を狭めることで、ゆっくりとした閉動作を実現できるようにしたものがある（特許文献１参照）。
【０００４】
また、下部ユニット側の側板に案内溝を配置して、その上端部には切欠き凹所を、下端部にはフック部を配置する一方、ローラ等を支持する上部ユニット側にロックレバーを揺動可能に設けてそのレバーの下部にロックピンを配置し、上部ユニットを閉じた状態では前記フック部にロックピンが係止されて閉状態が保持され、上部ユニットを開いた状態では前記切欠き凹所にロックピンを係止させることで、その開状態を維持できるようにしたものがある（特許文献２参照）。
【０００５】
さらに、開閉機構の金属芯材に弾性部材を被覆するよう付設して、振動伝播を防止し、簡素な構成で、プリンタ部の保守作業を容易化するとともに、振動伝播に起因する形成画像の劣化を防止するようにしたものがある（特許文献３参照）。
【０００６】
【特許文献１】特開２００１−１０５６８７号公報
【特許文献２】特開平１１−１０６０８５号公報
【特許文献３】特開２００３−２３４８６１号公報
【発明の開示】
【発明が解決しようとする課題】
【０００７】
しかしながら、上部ユニットを下部ユニットに対して開くときにクラッチばねと固定軸との隙間を広げるようにした従来の画像読み取り装置にあっては、原稿のジャム作業中に上部ユニットの落下により、指を挟む等といった事故を防ぐことはできるが、ガススプリング、トーションバー、上部ユニット閉時のロックレバー等といった部品の点数が多くなり、コストおよび組立て性に難がある。
【０００８】
また、下部ユニット側の側板に案内溝を配置して、その上端部には切欠き凹所を、下端部にはフック部を配置した従来の画像読み取り装置にあっては、上部ユニットを開放する場合、ロックハンドルを揺動させてロックハンドルのロックを解除しなければならず、操作が面倒であるばかりか、それらロック機構の部品が必要となりコストおよび組立て性に難がある。
【０００９】
一方、開閉機構の金属芯材に弾性部材を被覆するよう付設した従来の画像読み取り装置にあっては、回転支点でスキャナ部が開閉する構成であり、スキャナ部が大きい機械では回転支点近くに掛かる応力が大きいため、それに耐える構成にするとコスト高となるという未解決の課題がある。
【００１０】
本発明は、以上のような従来の問題点に鑑みてなされたものであり、上部ユニットの落下を防止し、かつ、部品点数が少なく低コストで組立て性の優れた画像読み取り装置を提供することを目的とする。
【課題を解決するための手段】
【００１１】
本発明は、上記目的達成のため、（１）上部ユニットが回動支持軸を介して下部ユニットに開閉動作可能に支持され、該上部ユニットの開閉動作によって下部ユニットの所定の部位が開放および閉塞される画像読み取り装置において、前記上部ユニットと前記下部ユニットの間に、前記上部ユニットの開放により略鉛直姿勢となり、前記上部ユニットの開放角度が所定角度以下となるとき、前記上部ユニットの閉じ側への回動を抑止する落下抑止部材を設けたことを特徴とする画像読み取り装置。
【００１２】
この構成により、上部ユニットはその開放角度が所定角度以下となる落下が抑止され、下部ユニット側の所定の部位（例えばコンタクトガラス）の清掃あるいは原稿シートのジャム処理等をしている間に上部ユニットが落下して閉じてしまい、指を挟んでしまうようなことを未然に確実に防止することができる。しかも、落下抑止部材は、例えば軸力によって上部ユニットの落下を阻止できる程度で足りるので、部品点数が少なく、コストが掛からず、組立て性もよくなる。
【００１３】
本発明の画像読み取り装置においては、（２）前記落下抑止部材が、一端部で前記上部ユニットに揺動可能に支持されるとともに、前記上部ユニットの開放動作時に自重によって他端部を鉛直方向側に揺動させるのが好ましい。この構成により、部品点数が少なくて済み、低コストでかつ組立ても容易となる。
【００１４】
また、（３）前記落下抑止部材が、前記回動支持軸の軸線方向に離間する複数箇所に配置されているのがよい。これにより、上部ユニットの落下に対する抑止力を複数箇所に分散し、開閉支持機構に過度の力が加わるのを防止することができる。
【００１５】
さらに、（４）前記落下抑止部材が、前記上部ユニットのうち前記回動支持軸から所定距離以上離隔した操作端側に配置されているのがよい。これにより、上部ユニットを閉じるときには、その操作端側で鉛直姿勢の落下抑止部材を直接若しくは簡単な操作部材を介して落下抑止を解除する方向に揺動させることができる。例えば、上部ユニットの把手近くの落下抑止部材を上部ユニットを締める手先で奥に押し込むといった操作ができる。
【００１６】
また、（５）前記落下抑止部材が、前記回動支持軸の軸線方向における前記上部ユニットの両端側に配置されているのが好ましい。この構成により、上部ユニットの落下に対する抑止力をその両端側に加え、開閉支持機構に過度の力を発生させることなく安定した落下抑制機能を発揮させることができる。
【００１７】
本発明の画像読み取り装置においては、さらに、（６）前記下部ユニットに、前記上部ユニットの開閉時に前記下部ユニット側に係合するとともに他端部の揺動方向への滑りを抑制する滑り止め部材を設けるのがよい。例えば、落下抑止部材の下方ユニット側が摩擦係数の大きい材質の滑り止め部材材を下部ユニット側に固定設置（貼付け等）することで、落下抑止部材の他端部の滑りを抑制し、上部ユニット開放時における落下抑止部材の揺動を開放角度に応じたものとしつつ、上部ユニットの落下抑制効果作用を早期に生じさせることが可能となる。
【００１８】
本発明の画像読み取り装置は、また、（７）前記下部ユニットの所定高さ位置に揺動可能に支持された一端部および前記上部ユニットに揺動可能かつ所定範囲内のみ摺動可能に連結された他端部を有する揺動部材を有し、前記上部ユニットの開放角度が所定角度以上となるとき前記上部ユニットを開放側に付勢する方向に付勢力を作用させる一方、前記上部ユニットにより前記下部ユニットの所定の部位が閉塞されるときには前記上部ユニットを閉じ側に付勢する方向に付勢力を作用させるよう、前記揺動部材の他端部を前記所定高さ位置より上方側および下方側に揺動させる反転付勢機構を設けたものであるのが望ましい。この構成により、上部ユニットの落下抑制を反転付勢機構で補助しつつ、上部ユニットの開放操作力を軽減し、かつ、上部ユニットによる所定部位の閉塞時には上部ユニットをその閉塞姿勢に安定保持することができる。
【００１９】
この場合、さらに、（８）前記反転付勢機構の揺動部材によって前記上部ユニットの開放側への回動が前記所定の開放角度位置で規制され、該所定の開放角度位置までの前記上部ユニットの開放側への回動により、前記落下抑止部材が自重で鉛直姿勢となるようにすることができる。この構成により、上部ユニットが過度に開放されて装置姿勢が不安定となったり、落下抑止部材が不要な揺動を生じたりするのが防止される。
【発明の効果】
【００２０】
本発明によれば、上部ユニットはその開放角度が所定角度以下となる落下を抑止され、下部ユニット側の所定の部位（例えばコンタクトガラス）の清掃あるいは原稿シートのジャム処理等をしている間に上部ユニットが落下して閉じてしまい、指を挟んでしまうようなことを防止することができ、しかも、落下抑止部材は、例えば軸力によって上部ユニットの落下を阻止できる程度で足りるので、部品点数が少なく、コストが掛からず、組立て性に優れた画像読み取り装置を提供することができる。
【発明を実施するための最良の形態】
【００２１】
以下、本発明の実施の形態について、図面を参照して説明する。
[第１の実施の形態]
【００２２】
図１は本発明に係る画像読み取り装置の第１の実施の形態を示す図であり、本発明を複写機の画像読み取り部に適用した場合の概略構成を示している。また、図２〜図５は、本実施形態の画像読み取り装置における要部構成を示している。
【００２３】
まず、その構成を説明する。
【００２４】
図１にその概略構成を示すように、本実施形態の画像読み取り装置は、上部ユニット２と、それを支持する下部ユニット１とを備えており、両ユニット１、２の対向部分に、原稿テーブル（原稿載置台）１０、前（上流）側の下ガイド板１１、後ろ（下流）側の下ガイド板１２、前側の駆動ローラ１３、前側の従動ローラ１４、後ろ側の駆動ローラ１５、後ろ側の従動ローラ１６等の搬送系が装備されるとともに、下部ユニット１内に、読み取り部１７、感光ドラム１８およびコンタクトガラス２０が、上部ユニット２側に白色ガイド板（露光ガイド板）１９が、それぞれ装備されている。
【００２５】
ここで、原稿テーブル１０に載置されるべき原稿Ｐは、例えば操作者によって搬送路内に挿入され、前側の下ガイド板１１によって前側の駆動ローラ１３と前側の従動ローラ１４の間のニップ部に案内され、コンタクトガラス２０の下方に位置する読み取り部１７でその画像面を読み取り走査される。
【００２６】
そして、その画像の読み取り後、後ろ側の下ガイド板１２によって後ろ側の駆動ローラ１５と後ろ側の従動ローラ１６の間のニップ部に案内され、その後、排紙搬送される。
【００２７】
なお、このような画像読み取り装置における原稿搬送方式や画像読み取り方式自体は公知のものであるので、これ以上詳述しない。
【００２８】
図２および図３に示すように、本実施形態の画像読み取り装置においては、下部ユニット１の左右の側板部に水平（装置の設置面に平行な方向）に固定された円形断面の回転支持軸３Ｌ、３Ｒを介して、上部ユニット２が下部ユニット１に上下方向に回動操作可能に連結されている。そして、これら回転支持軸３Ｌ、３Ｒを中心とする左右の開閉支持機構３０Ｌ、３０Ｒが構成され、両開閉支持機構３０Ｌ、３０Ｒによって上部ユニット２の下部ユニット１に対する回動範囲が規定され、あるいは特定条件下での上部ユニット２の回動が抑止されるようになっている。
【００２９】
具体的には、図３に示す片側の開閉支持機構３０Ｒを例に説明すると、開閉支持機構３０Ｒにおいては、下部ユニット１側の側板の一部３１Ｒを固定側のブラケットとして、そのブラケット３１Ｒの後端部３１ａに回転支持軸３Ｒを固定し、上部ユニット２側の側板の一部を構成するブラケット３２Ｒの基端部３２ａを回転支持軸３Ｒに回動可能に支持させている。また、ブラケット３１Ｒには水平方向外側に曲げ加工されて受け板部３１ｂが形成されており、ブラケット３１Ｒの受け板部３１ｂより下方側の所定高さ位置の内面からは水平な軸線を有する円形断面の支軸ピン３３が突出している。
【００３０】
また、上部ユニット２側に設けられたブラケット３２Ｒは、ブラケット３１Ｒの内外にブラケット３１Ｒと平行をなす一対の平行板部３２ｃ、３２ｄを有しており、その内側の平行板部３２ｄからブラケット３１Ｒ側に接近するよう外方に突出する突設ピン３４が突出して設けられている。
【００３１】
この突設ピン３４と支軸ピン３３の間には例えば金属製の短冊状の揺動部材３５が回動可能に介装されており、この揺動部材３５は、支軸ピン３３によりブラケット３１Ｒの所定高さ位置に揺動可能に支持された一端部３５ａと、突設ピン３４に係合する小判穴３５ｃが形成されることで、ブラケット３２Ｒに揺動可能かつ所定範囲内のみ摺動可能に連結された他端部３５ｂとを有している。そして、上部ユニット２の左右の前端部（あるいはブラケット３２Ｌ、３２Ｒ）の前端部を操作端として上部ユニット２に装着された把手部２２を持ち上げるとき、上部ユニット２は回転支持軸３Ｌ、３Ｒを回動支点としてコンタクトガラス２０上面（所定の部位）を開放するよう上方に回動し、その開放側への回動操作角の限界がこの揺動部材３５によって規定されるようになっている。
【００３２】
また、図５に示すように、揺動部材３５の近傍には、弾性部材である圧縮コイルスプリング３９が設けられており、このコイルスプリング３９は例えば揺動部材３５の周りを取り囲むとともに、支軸ピン３３と突設ピン３４の間に所定の予圧を持って縮設されている。そして、上部ユニット２の開放角度が所定角度以上となるときには、このコイルスプリング３９が上部ユニット２を開放側に付勢する方向に付勢力を作用させる一方、上部ユニット２により下部ユニット１の所定の部位であるコンタクトガラス２０の上面が閉塞される閉止時には、このコイルスプリング３９が上部ユニット２を閉じ側に付勢する方向に付勢力を作用させるようになっている。
【００３３】
より具体的には、前記ブラケット３１Ｒ、ブラケット３２Ｒ、支軸ピン３３、突設ピン３４、揺動部材３５およびコイルスプリング３９は、揺動部材３５の他端部３５ｂを前記所定高さ位置より上方側および下方側に揺動させる反転付勢機構４０を構成しており、上部ユニット２の閉止時には揺動部材３５の他端部３５ｂが一端部３５ａ（前記所定高さ位置）よりわずかに低い位置まで下がり、上部ユニット２の開放角度が所定角度以上となるときには、揺動部材３５の他端部３５ｂが一端部３５ａより十分に高くなることで、コイルスプリング３９による上部ユニット２側への付勢力を上部ユニット２の開放角度が所定角度以上となっている範囲で有効に生じさせ、上部ユニット２を所定の開放角度位置で圧縮コイルスプリング３９の付勢力（押圧力）によって停止させることができるようになっている。
【００３４】
一方、上部ユニット２側に設けられたブラケット３２Ｒの外側の平行板部３２ｃには内側に突出する支軸ピン３６が固着されており、この支軸ピン３６には例えば金属製（樹脂製や複合構造のものでもよい）の短冊状の落下抑止部材３７がその一端部３７ａで上下に揺動可能に装着されている。この落下抑止部材３７は、上部ユニット２の開放時に自重によって略鉛直姿勢となるようになっている。
【００３５】
また、上部ユニット２の把手部２２を下げるときには、上部ユニット２は回転支持軸３Ｌ、３Ｒを回動支点としてコンタクトガラス２０上面（所定の部位）を閉塞するよう下方に回動するが、このとき落下抑止部材３７は、上部ユニット２の開放角度が所定角度にとなると、下端部３７ｂを下部ユニット１側のブラケット３１Ｒの受け板部３１ｂに当接させて、上部ユニット２のその閉じ側への回動を抑止するようになっている。
【００３６】
さらに、図６に示すように、落下抑止部材３７の他端部３７ｂには、上部ユニット２の開閉時に下部ユニット１側のブラケット３１Ｒの受け板部３１ｂに係合するとともに、他端部３７ｂの揺動方向（図６中の紙面と直交する方向）への滑りを抑制する滑り止め部材４１が設けられている。この滑り止め部材４１はブラケット３１Ｒの受け板部３１ｂに対して十分に摩擦係数が大きく、かつ、落下時の衝撃を吸収することのできる素材として、例えばゴム様の弾性部材からなり、落下抑止部材３７の他端部３７ｂに例えば貼り付けられている。
【００３７】
上述のような開閉支持機構３０Ｒの構成は、他方側の開閉支持機構３０Ｌと左右対称である点を除けば、まったく同様であるので、開閉支持機構３０Ｌについてはその構成部品に開閉支持機構３０Ｒの構成部品と同一符号を付してその説明を省略する。
【００３８】
次に、動作について説明する。
【００３９】
以上のように構成された本実施形態の画像読み取り装置では、上部ユニット２を持ち上げると、上部ユニット２の前方の支軸ピン３６、またはブラケット３２Ｌ、３２Ｒの前方の支軸ピン３６に取り付けられた落下抑止部材３７が自重で垂直になるよう回転し、ぶら下る形で止まる。
【００４０】
この落下抑止部材８が効かない開放状態では、スプリング３９の付勢力で上部ユニット２を開放側に押し上げているが、その押し上げ力に抗して上部ユニット２が下方に押し込まれると、上部ユニット２は下方側に回動する。
【００４１】
ここで、例えば上部ユニット２が勢いよく下げられるか、コイルスプリング３９の付勢力が弱くなる開放角度から上部ユニット２が落下するような場合が生じ得るが、本実施形態では、上部ユニット２の開放角度が所定角度以下となると、落下抑止部材３７が下部ユニット１側のブラケット３１Ｒの受け板部３１ｂで受け止められる。したがって、コンタクトガラス２０の清掃または原稿シートＰのジャム処理等をしているときに、下部ユニット１と上部ユニット２の間に手や指を挟んで怪我をしてしまうといったことが防止される。また、落下抑止部材８の支軸ピン３６を把手部２２の近傍に配置することにより、上部ユニット２を締める際に、指先で落下抑止部材３７を奥に押し込むことが容易にできる。
【００４２】
このように、本実施形態の画像読み取り装置では、上部ユニット２はその開放角度が所定角度以下となる落下を抑止され、下部ユニット１側の所定の部位の清掃あるいは原稿シートＰのジャム処理等をしている間に上部ユニット２が落下して閉じてしまい、指を挟んでしまうようなことを未然に確実に防止することが可能となる。しかも、落下抑止部材３７は、自重によって鉛直姿勢となり、軸力によって上部ユニットの落下を阻止できる簡素な構成であるから、部品点数が少なく、コストが掛からず、組立て性もよくなる。
【００４３】
また、本実施形態では、落下抑止部材３７が、回動支持軸３Ｌ、３Ｒの軸線方向両側にに離間する複数箇所に配置されているので、上部ユニット２の落下に対する抑止力を複数箇所に分散して、開閉支持機構３０Ｌ、３０Ｒに過度の力が加わるのを防止することができる。さらに、落下抑止部材３７が、上部ユニット２のうち回動支持軸３Ｌ、３Ｒから所定距離以上離隔した操作端側に配置されているから、上部ユニット２を閉じるときには、その操作端側で鉛直姿勢の落下抑止部材３７を直接若しくは簡単な操作部材を介して落下抑止を解除する方向に揺動させることができ、上述のように、例えば、上部ユニット２を締める際に、把手部２２近くの落下抑止部材３７を上部ユニット２を締める手先で奥に押し込むといった操作ができる。上部ユニット２の前端側や側面側に落下抑止部材３７を操作する回動レバー等を設けて、操作性をより良くすることもできる。
【００４４】
さらに、本実施形態においては、落下抑止部材３７の他端部３７ｂに滑り止め部材４１を設けて、上部ユニット２の開閉時に落下抑止部材３７の揺動方向への滑りを抑制しているので、上部ユニット２の開放時における落下抑止部材３７の揺動を開放角度に応じたものとしつつ、上部ユニット２の落下抑制作用を早期に生じさせることが可能となり、確実な落下抑止ができる。
【００４５】
本発明の画像読み取り装置は、また、上部ユニット２の開放角度が所定角度以上となるときには上部ユニット２を開放側に付勢する一方、上部ユニット２により下部ユニット１の所定の部位が閉塞されるときには上部ユニット１を閉じ側に付勢することが可能な反転付勢機構４０を設けているので、上部ユニット２の落下抑制を反転付勢機構４０で補助しつつ、上部ユニット２の開放操作力を軽減し、かつ、上部ユニット２の閉止時には上部ユニット２をその閉止姿勢に安定保持することができる。さらに、反転付勢機構の揺動部材３５によって上部ユニット２の開放側への回動が所定の開放角度位置で規制され、その所定の開放角度位置までの上部ユニット２の開放側への回動により、落下抑止部材３７が自重で鉛直姿勢となるので、上部ユニット２が過度に開放されて装置姿勢が不安定となったり、落下抑止部材３７が不要な揺動を生じたりするのが防止され、確実な落下抑止効果が得られる。
【００４６】
なお、上述の実施形態においては、落下抑止部材３７は左右両側に設置されるものとしたが、落下抑止部材３７は左右の一方だけに設置することもでき、その場合でも、上部ユニット２の落下を防止することができる。また、落下抑止部材３７は人手の挿入空間を確保して落下抑止ができる長さで設置されればよく、その設置位置は、回動支持軸３Ｒ、３Ｌから十分に離隔した位置、例えば操作端の把手部２２と回動支持軸３Ｒ、３Ｌの中間位置より操作端側であれば好ましいが、把手部２２からリンケージを介して落下抑止部材３７を揺動（抑止解除）させる場合には、特に上部ユニットの開閉方向が横（左右）であるような場合には、前記中間位置を超えて奥側（後方側）に位置してもよい。さらに、落下抑止部材３７は、上下および前後方向に揺動するものに限らず、上下および左右に揺動するものとすることも考えられる。また、開閉支持機構３０Ｌ、３０Ｒに代えて、前記所定の部位の後方側に、開閉支持機構３０Ｌ、３０Ｒと同等な開閉支持機構を３つ以上で設けることも、勿論可能であり、その場合、落下抑止部材３７を開閉支持機構から分離独立して配置することができる。
【産業上の利用可能性】
【００４７】
以上説明したように、本発明は、上部ユニットはその開放角度が所定角度以下となる落下を抑止され、下部ユニット側の所定の部位（例えばコンタクトガラス）の清掃あるいは原稿シートのジャム処理等をしている間に上部ユニットが落下して閉じてしまい、指を挟んでしまうようなことを防止することができ、しかも、落下抑止部材は、例えば軸力によって上部ユニットの落下を阻止できる程度で足りるので、部品点数が少なく、コストが掛からず、組立て性に優れた画像読み取り装置を提供することができるという効果を奏するものであり、開閉式の上部ユニットを備えた画像読み取り装置全般に有用である。
【図面の簡単な説明】
【００４８】
【図１】本発明に係る画像読み取り装置の第１の実施の形態を示すその原稿シート搬送路近傍の概略正面断面図である。
【図２】本発明に係る画像読み取り装置の第１の実施の形態を示すその開閉支持機構の正面から見た組み合わせ断面図である。
【図３】図２のIII−III矢視断面図である。
【図４】図２のIII−III矢視方向から上部ユニットの開放時の要部構成を示す断面図である。
【図５】本発明に係る画像読み取り装置の第１の実施の形態を示すその反転付勢機構の構成を模式的に示す説明図である。
【図６】本発明に係る画像読み取り装置の第１の実施の形態を示すその落下抑止部材の正面図で、その下端部に滑り止め部材を配した状態を示している。
【符号の説明】
【００４９】
１    下部ユニット
２    上部ユニット
３Ｌ、３Ｒ    回転支持軸
１０    原稿テーブル（原稿載置台）
２０    コンタクトガラス（所定の部位）
２２    把手部（操作端部）
３０Ｌ、３０Ｒ    開閉支持機構
３１Ｌ、３１Ｒ    ブラケット
３１ａ    後端部
３１ｂ    受け板部
３２Ｌ、３２Ｒ    ブラケット
３２ａ    基端部
３２ｃ、３２ｄ    平行板部
３３    支軸ピン
３４    突設ピン
３５    揺動部材
３５ａ    一端部
３５ｂ    他端部
３５ｃ    小判穴
３６    支軸ピン
３７    落下抑止部材
３７ａ    一端部
３７ｂ    下端部
３７ｂ    他端部
３９    コイルスプリング（弾性部材）
４０    反転付勢機構
４１    滑り止め部材
【図１】
2006245911.tif 000003
【図２】
2006245911.tif 000004
【図３】
2006245911.tif 000005
【図４】
2006245911.tif 000006
【図５】
2006245911.tif 000007
【図６】
2006245911.tif 000008